(57)【要約】【課題】入力操作に基づいて、種々の機能を実現する印刷装置であって、ユーザが使用し易い操作仕様に容易に変更し得る印刷装置を提供する。【解決手段】テープ印刷装置１は、キーボード１０を用いた入力操作が行われると（Ｓ２：ＹＥＳ）、実行機能特定テーブルを参照し、現在設定されている設定中操作仕様で、入力された入力操作種別に対して、テープ印刷装置１で実行される機能が対応付けられているか否かを判断する（Ｓ４）。又、当該テープ印刷装置１は、現在設定されていない未設定操作仕様において、入力された入力操作種別に対して、テープ印刷装置１で実行される機能が対応付けられていないか否かを判断する（Ｓ５）。入力された入力操作種別が未設定操作仕様に基づく入力操作であると判断された場合（Ｓ５：ＹＥＳ、Ｓ７：ＹＥＳ）、当該テープ印刷装置１は、未設定操作仕様に基づく操作により機能を実現するように、操作仕様を変更する。【選択図】図５
2012035510.tif 000002
【特許請求の範囲】
【請求項１】
被記録媒体に印刷を行う印刷手段と、
前記印刷手段による印刷に関する種々の操作に用いられる入力操作手段と、
前記入力操作手段による入力操作に基づいて、前記印刷手段による印刷に関する制御を行う制御手段と、を有する印刷装置であって、
前記入力操作手段により入力される各入力操作種別に対して、前記制御手段により実現される印刷に関する機能が関連付けられ、現時点で設定されている第１仕様と、前記各入力操作種別に対して、前記第１仕様と異なる態様で前記印刷に関する機能が関連付けられた第２仕様と、を記憶する記憶手段と、
前記入力操作手段により入力された入力操作の入力操作種別と、前記記憶手段に記憶されている第１仕様及び第２仕様に基づいて、前記入力操作手段により入力された入力操作が、前記第２仕様に基づく入力操作であるか否かを判定する判定手段と、
前記判定手段により、前記入力操作手段により入力された入力操作が前記第２仕様に基づく入力操作であると判定された場合に、前記制御手段による印刷に関する制御を、前記第２仕様に係る入力操作に基づいて実行するように設定する設定手段と、
を備えることを特徴とする印刷装置。
【請求項２】
請求項１記載の印刷装置であって、
前記判定手段は、
前記第１仕様において、前記入力操作手段により入力された入力操作に係る入力操作種別に対して、前記印刷に関する機能が対応付けられておらず、且つ、前記第２仕様において、前記入力操作手段により入力された入力操作に係る入力操作種別に対して、前記印刷に関する機能が対応付けられている場合に、当該入力操作手段により入力された入力操作が前記第２仕様に基づく入力操作であると判定する
ことを特徴とする印刷装置。
【請求項３】
請求項１又は請求項２記載の印刷装置であって、
前記判定手段は、
前記第１仕様と前記第２仕様の何れにおいても、前記入力操作手段により入力された入力操作種別に対して、前記印刷に関する機能が対応付けられている場合に、前記入力操作手段により入力された入力操作が前記第２仕様に基づく入力操作であるか否かを選択する選択操作を要求する選択要求手段と、を有し、
前記選択要求手段に従って入力された選択操作に基づいて、前記入力操作手段により入力された入力操作が前記第２仕様に基づく入力操作であると判定する
ことを特徴とする印刷装置。
【発明の詳細な説明】
【技術分野】
【０００１】
本発明は、入力操作に基づいて、種々の機能を実現する印刷装置であって、ユーザが使用し易い操作仕様に容易に変更し得る印刷装置に関する。
【背景技術】
【０００２】
従来、印刷装置を含む電子装置の分野では、入力操作に応じて、種々の機能を実現するように制御するように構成されている。このような電子装置に関する発明として、特許文献１記載の発明が知られている。
【０００３】
特許文献１記載の電子装置は、入力されたキーと、当該電子装置で実現される機能（イベント）を関連付けたキーイベント変換テーブルを、キー入力の態様（短期間の入力、長期間の入力（例えば、長押し）、長期間の入力後の入力解除）毎に有している。そして、当該電子装置は、キー入力の態様（例えば、入力が継続される期間）に基づいて、キーイベント変換テーブルと特定する。当該電子装置は、特定されたキーイベントテーブルと、ユーザにより入力されたキーに基づいて、イベントを特定して、当該イベントを実現すべく所定の制御を行う。
【先行技術文献】
【特許文献】
【０００４】
【特許文献１】特開２０００−３５３３５７号公報
【発明の概要】
【発明が解決しようとする課題】
【０００５】
ここで、電子装置の分野においては、或る電子装置と、他の電子装置の間で、キー入力の操作態様と、実現される機能との関連付け（以下、操作仕様）が相違する場合がある。キー入力の操作態様は、入力されたキーの種類、キー入力の期間、入力された複数のキーの組合せ等によって一に特定される。操作仕様が相違する場合、ユーザ所望の機能を実現すべく、ユーザが自己の把握している操作態様でキー入力を行ったとしても、ユーザ所望の機能が実現しない場合や、ユーザ所望の機能と異なる機能が実現してしまう場合が生じ得る。
【０００６】
この場合、ユーザは、所望の機能に対応する操作態様を調べて、再度、入力操作を行わなければならない。更に、所望の機能と異なる機能が実現してしまった場合、ユーザは、誤って実現してしまった機能に対する後始末に関する処理（例えば、元の状態への復元処理）を行わなければならない。
【０００７】
又、或る電子装置と、他の電子装置の間で、操作仕様が相違する場合の一例としては、或る印刷装置をリニューアルした印刷装置を使用する場合において、今まで適用されてきた操作仕様に変えて、リニューアルと同時に、新たな操作仕様が適用される場合がある。この場合、リニューアル前の印刷装置を使用してきたユーザは、以前の操作仕様でのキー入力操作に慣れ親しんでいるため、リニューアル後の印刷装置を使用する場合であっても、リニューアル前の操作仕様で入力してしまうことが多く、意図しない機能が実現されてしまうこととなる。この場合、リニューアル後の印刷装置であっても、リニューアル前の操作仕様に変更することができれば、リニューアル前の印刷装置を使用してきたユーザは、慣れ親しんだ操作仕様でキー入力を行うことができ、当該印刷装置に、確実に所望の機能を実現させることができる。
【０００８】
本発明は、入力操作に基づいて、種々の機能を実現する印刷装置であって、ユーザが使用し易い操作仕様に容易に変更し得る印刷装置を提供する。
【課題を解決するための手段】
【０００９】
本発明の請求項１に係る印刷装置は、被記録媒体に印刷を行う印刷手段と、前記印刷手段による印刷に関する種々の操作に用いられる入力操作手段と、前記入力操作手段による入力操作に基づいて、前記印刷手段による印刷に関する制御を行う制御手段と、を有する印刷装置であって、前記入力操作手段により入力される各入力操作種別に対して、前記制御手段により実現される印刷に関する機能が関連付けられ、現時点で設定されている第１仕様と、前記各入力操作種別に対して、前記第１仕様と異なる態様で前記印刷に関する機能が関連付けられた第２仕様と、を記憶する記憶手段と、前記入力操作手段により入力された入力操作の入力操作種別と、前記記憶手段に記憶されている第１仕様及び第２仕様に基づいて、前記入力操作手段により入力された入力操作が、前記第２仕様に基づく入力操作であるか否かを判定する判定手段と、前記判定手段により、前記入力操作手段により入力された入力操作が前記第２仕様に基づく入力操作であると判定された場合に、前記制御手段による印刷に関する制御を、前記第２仕様に係る入力操作に基づいて実行するように設定する設定手段と、を備えることを特徴とする。
【００１０】
当該印刷装置は、印刷手段と、入力操作手段と、制御手段と、記憶手段と、判定手段と、設定手段と、を有し、入力操作手段による入力操作に基づいて、前記印刷手段による印刷に関する制御を行う。当該印刷装置は、前記入力操作手段により入力された入力操作の入力操作種別と、前記記憶手段に記憶されている第１仕様及び第２仕様に基づいて、前記入力操作手段により入力された入力操作が、前記第２仕様に基づく入力操作であるか否かを判定する。そして、当該印刷装置は、前記判定手段により、入力された入力操作が前記第２仕様に基づく入力操作であると判定された場合に、前記制御手段による印刷に関する制御を、前記第２仕様に係る入力操作に基づいて実行するように設定する。第１仕様が設定されている状態で、当該印刷装置に第２仕様に基づく入力操作が行われた場合、当該入力操作を行ったユーザは、第２仕様に慣れ親しんでいる蓋然性が高い。従って、当該印刷装置は、設定手段による設定を行うことで、当該入力操作を行ったユーザが使用しやすい操作仕様に設定変更することができる。又、当該印刷装置は、第２仕様に基づく入力操作により操作仕様を変更するため、簡単な操作で操作仕様を変更することができる。
【００１１】
そして、請求項２記載の印刷装置は、請求項１記載の印刷装置であって、前記判定手段は、前記第１仕様において、前記入力操作手段により入力された入力操作に係る入力操作種別に対して、前記印刷に関する機能が対応付けられておらず、且つ、前記第２仕様において、前記入力操作手段により入力された入力操作に係る入力操作種別に対して、前記印刷に関する機能が対応付けられている場合に、当該入力操作手段により入力された入力操作が前記第２仕様に基づく入力操作であると判定することを特徴とする。
【００１２】
当該印刷装置において、前記判定手段は、前記第１仕様において、前記入力操作手段により入力された入力操作に係る入力操作種別に対して、前記印刷に関する機能が対応付けられておらず、且つ、前記第２仕様において、前記入力操作手段により入力された入力操作に係る入力操作種別に対して、前記印刷に関する機能が対応付けられている場合に、当該入力操作手段により入力された入力操作が前記第２仕様に基づく入力操作であると判定する。ここで、前記入力操作手段により入力された入力操作に係る入力操作種別に対して、前記第１仕様において、前記印刷に関する機能が対応付けられていないため、当該入力操作は、第１仕様を前提として行われた入力操作である可能性は低い。一方、当該入力操作に係る入力操作種別に対して、前記第２仕様において、前記印刷に関する機能が対応付けられているのであるから、当該入力操作は、第１仕様を前提として行われた入力操作である蓋然性が高い。つまり、当該印刷装置は、確実に第２仕様に基づく入力操作であることを判断することができ、当該入力操作を行ったユーザが使用しやすい操作仕様に、適切に設定変更することができる。
【００１３】
又、請求項３記載の印刷装置は、請求項１又は請求項２記載の印刷装置であって、前記判定手段は、前記第１仕様と前記第２仕様の何れにおいても、前記入力操作手段により入力された入力操作種別に対して、前記印刷に関する機能が対応付けられている場合に、前記入力操作手段により入力された入力操作が前記第２仕様に基づく入力操作であるか否かを選択する選択操作を要求する選択要求手段と、を有し、前記選択要求手段に従って入力された選択操作に基づいて、前記入力操作手段により入力された入力操作が前記第２仕様に基づく入力操作であると判定することを特徴とする。
【００１４】
当該印刷装置は、前記第１仕様と前記第２仕様の何れにおいても、前記入力操作手段により入力された入力操作種別に対して、前記印刷に関する機能が対応付けられている場合、選択要求手段により、前記入力操作手段により入力された入力操作が前記第２仕様に基づく入力操作であるか否かを選択する選択操作を要求する。そして、当該印刷装置は、前記選択要求手段に従って入力された選択操作に基づいて、前記入力操作手段により入力された入力操作が前記第２仕様に基づく入力操作であると判定する。つまり、第１仕様と前記第２仕様の何れにおいても、入力された入力操作種別に対して、前記印刷に関する機能が対応付けられており、入力操作が前記第２仕様に基づく入力操作であるか否かを特定できない場合であっても、当該印刷装置は、確実に第２仕様に基づく入力操作であることを判断することができ、当該入力操作を行ったユーザが使用しやすい操作仕様に、適切に設定変更することができる。
【図面の簡単な説明】
【００１５】
【図１】本実施形態に係るテープ印刷装置の上面図である。
【図２】テープ印刷装置の側面図である。
【図３】テープ印刷装置の制御系を示すブロック図である。
【図４】実行機能特定テーブルの一例を示す説明図である。
【図５】メイン制御プログラムのフローチャートである。
【図６】確認画面を表示するディスプレイを示す説明図である。
【発明を実施するための形態】
【００１６】
以下、本発明に係る印刷装置を、テープカセットから排出されるラベルテープに対して印刷を行うテープ印刷装置１に具体化した実施形態について、図面を参照しつつ詳細に説明する。図１及び図２に示すように、本実施形態に係るテープ印刷装置１は、筐体５を有しており、筐体５内部にテープ印刷装置１を構成する各種構成部品を格納している。筐体５上面の後方には、収納カバー６が開閉自在に軸支されている。当該収納カバー６は、筐体５内部に形成されたカセット収納部２０の上方を覆う。
【００１７】
カセット収納部２０には、テープカセットＣが着脱可能に装着される。テープカセットＣは、感熱発色性を有する被記録媒体であるラベルテープを巻回状態で収納している。又、カセット収納部２０には、サーマルヘッド２５と、テープ搬送機構２７と、テープ切断機構２９が配設されている（図３参照）。サーマルヘッド２５は、複数の発熱素子を列設して備えており、各発熱素子の通電制御を行うことにより、ラベルテープに印刷データに基づく印刷を施す。テープ搬送機構２７は、プラテンローラ等の各種ローラと、搬送モータを有しており、テープカセットＣからラベルテープを引き出し、筐体５外部へ搬送する。そして、テープ切断機構２９は、テープカセットＣから引き出されたラベルテープを、所定位置（後述するラベル排出口７の内側近傍）で切断する。
【００１８】
そして、本実施形態に係るテープ印刷装置１において、筐体５には、ラベル排出口７、アダプタ挿入口８、コネクタ９が形成されている。ラベル排出口７は、カセット収納部２０の左側面部に形成されている。印刷されたラベルテープは、当該ラベル排出口７から筐体５外部へ排出される。アダプタ挿入口８及びコネクタ９は、カセット収納部２０の右側面部に形成されている。アダプタ挿入口８には、テープ印刷装置１へ電源を供給する電源アダプタが取り付けられる。コネクタ９には、ＵＳＢケーブルが取り付けられ、テープ印刷装置１と外部装置（例えば、パーソナルコンピュータ等）とを通信可能に接続する。
【００１９】
テープ印刷装置１は、筐体５上面の前側部分に、キーボード１０を有している。当該キーボード１０は、文字入力キー１１、印刷キー１２、リターンキー１３、カーソルキー１４、機能キー１５、テープ搬送キー１６、シフトキー１７、コードキー１８等の複数の入力キーを備える。文字入力キー１１は、アルファベット、数字、記号等のキャラクタを示す複数のキーにより構成され、複数のキャラクタを含み得るテキストデータを作成する際に入力される。印刷キー１２は、テキストデータや後述する既定印刷データ等の印刷データをラベルテープに対して印刷する際に入力される。リターンキー１３は、改行指令や各種処理の実行、選択確定を指令する際に入力される。カーソルキー１４は、液晶ディスプレイ３０に表示されたカーソルＥ（図６参照）を、上下、左右に移動させる際に入力される。機能キー１５は、テープ印刷装置１における各種機能を選択する際に入力される。テープ搬送キー１６は、テープカセットＣから、ラベルテープを所定寸法搬送する際に入力される。シフトキー１７、コードキー１８は、キーボード１０における修飾キーであり、文字入力キー１１と組み合わせて入力することで、入力内容や実行すべき機能を切り替える際に用いられる。キーボード１０の下側には、制御基板３５が配設されている。制御基板３５には、後述する制御回路部４０が構成される
【００２０】
テープ印刷装置１は、筐体５上面のキーボード１０後方部分に、液晶ディスプレイ３０を有している。当該液晶ディスプレイ３０は、表示用フォントデータ記憶領域４２Ａに格納されている表示用フォントを用いて、複数種類の言語に係るキャラクタを表示しうる。又、液晶ディスプレイ３０は、後述するメイン制御プログラムに基づいて、確認画面６０（図６参照）を表示する。
【００２１】
次に、テープ印刷装置１の制御系について図３に基づき説明する。図３に示すように、制御回路部４０は、ＣＰＵ４１、ＣＧＲＯＭ４２、ＲＯＭ４３、ＥＥＰＲＯＭ４４、ＲＡＭ４５、入出力Ｉ／Ｆ４６、及び通信用Ｉ／Ｆ４７等を備えている。
【００２２】
ＣＰＵ４１は、テープ印刷装置１の制御の中枢を担う中央演算装置であり、ＲＯＭ４３内の各種制御プログラムに基づいて各種の演算を行なう。ＣＧＲＯＭ４２は、各キャラクタに対応するドットパターンデータを記憶しており、表示用フォントデータ記憶領域４２Ａを有している。各キャラクタは、当該ＣＧＲＯＭ４２から読み出されたドットパターンデータに基づいて、液晶ディスプレイ３０上に表示される。
【００２３】
ＲＯＭ４３は、各種制御プログラムを記憶するメモリであり、後述するメイン制御プログラム（図５参照）や、実行機能特定テーブル（図４参照）を記憶している。ここで、テープ印刷装置１における実行機能特定テーブルについて、図４を参照しつつ詳細に説明する。図４に示すように、実行機能特定テーブルは、キーボード１０を構成する入力キーによる入力操作種別に対して、当該テープ印刷装置１で実行可能な印刷に関する機能を対応付けて構成されている。ここで、入力操作種別とは、キーボード１０を構成する入力キーを用いた入力操作の態様であり、入力されたキーの種類、キー入力の期間、入力された複数のキーの組合せ等によって一の入力操作種別に特定される。そして、当該テープ印刷装置１で実行可能な印刷に関する機能とは、印刷データを構成するキャラクタの入力・編集のみならず、ラベルテープの搬送や切断に関する制御も包含する。
【００２４】
又、当該実行機能特定テーブルにおいては、第１仕様と、第２仕様が既定されている。第１仕様は、「入力操作種別」と「印刷に関する機能」の対応付けを示し、初期状態において、テープ印刷装置１に設定されている操作仕様を意味する。第２仕様は、前記第１仕様と異なる態様による「入力操作種別」と「印刷に関する機能」との対応付けを示す。尚、第２仕様は、当該テープ印刷装置１以前の機種で採用されていた操作仕様である。
【００２５】
ＥＥＰＲＯＭ４４は、テープ印刷装置１の電源をオフしてもこれらの記憶内容を保持可能なメモリであり、操作仕様記憶領域４４Ａを有している。操作仕様記憶領域４４Ａは、現在、テープ印刷装置１に設定されている操作仕様が格納される記憶領域であり、第１仕様又は第２仕様の何れかを示す。尚、当該テープ印刷装置１では、初期状態において、第１仕様が設定されている旨が操作仕様記憶領域４４Ａに格納されている。後述するように、当該テープ印刷装置１においては、操作仕様記憶領域４４Ａの記憶内容に基づいて、入力操作種別に対応する機能を特定し、特定された機能に関する制御が実行される（Ｓ９）。
【００２６】
尚、本実施形態においては、操作仕様記憶領域４４Ａに格納され、設定されている操作仕様を「設定中操作仕様」といい、初期状態においては、第１仕様が「設定中操作仕様」に該当する。一方、操作仕様記憶領域４４Ａに設定されていない操作仕様を「未設定操作仕様」といい、初期状態においては、第２仕様が「未設定操作仕様」に該当する。
【００２７】
ＲＡＭ４５は、ＣＰＵ４１により演算された各種の演算結果を一時的に記憶するメモリであり、印刷バッファ４５Ａ、表示画像バッファ４５Ｂ、ワーク領域４５Ｃ等の各種のメモリ領域を有している。印刷バッファ４５Ａには、複数の文字や記号等の印刷用ドットパターンや各ドットの形成エネルギ量である印加パルス数等がデータとして格納される。又、表示画像バッファ４５Ｂには、液晶ディスプレイ３０に表示されるグラフィックデータや印刷イメージデータ等が格納される。
【００２８】
入出力Ｉ／Ｆ４６には、キーボード１０、液晶ディスプレイコントローラ５０と、ヘッド駆動回路５１と、搬送駆動回路５３と、切断駆動回路５５とがそれぞれ接続されている。液晶ディスプレイコントローラ５０は、液晶ディスプレイ３０に表示データを出力する為のビデオＲＡＭを有し、液晶ディスプレイ３０の表示態様を制御する。ヘッド駆動回路５１は、ラベルテープへの印刷を行う際に、サーマルヘッド２５を駆動制御する。搬送駆動回路５３は、ラベルテープを搬送する際に、テープ搬送機構２７を駆動制御する。切断駆動回路５５は、ラベルテープを切断する際に、テープ切断機構２９を駆動制御する。
【００２９】
通信用Ｉ／Ｆ４７は、例えば、イーサネット（登録商標）等から構成され、コネクタ９を含む。当該テープ印刷装置１は、コネクタ９、通信用Ｉ／Ｆ４７を介して、外部装置（例えば、パーソナルコンピュータ等）との間で、双方向データ通信を行い得る。
【００３０】
続いて、本実施形態に係るテープ印刷装置１のメイン制御プログラムについて、図５を参照しつつ詳細に説明する。当該メイン制御プログラムは、テープ印刷装置１に対する電源投入が行われると、ＣＰＵ４１により実行される。先ず、ＣＰＵ４１は、初期設定処理（Ｓ１）を実行する。初期設定処理（Ｓ１）においては、ＣＰＵ４１は、印刷バッファ４５Ａ等の初期化処理を行うと共に、操作仕様記憶領域４４Ａを参照して、設定されている操作仕様（第１仕様又は第２仕様）を特定する。初期設定処理（Ｓ１）を終了すると、ＣＰＵ４１は、Ｓ２に処理を移行する。
【００３１】
Ｓ２においては、ＣＰＵ４１は、キーボード１０を構成する各キーからの操作信号に基づいて、キー入力操作があったか否かを判断する。キー入力操作があった場合（Ｓ２：ＹＥＳ）、ＣＰＵ４１は、Ｓ３に処理を移行する。一方、キー入力操作がない場合（Ｓ２：ＮＯ）、ＣＰＵ４１は、キー入力操作があるまで処理を待機する。
【００３２】
Ｓ３に移行すると、ＣＰＵ４１は、対応機能確認処理を実行する。対応機能確認処理（Ｓ３）においては、ＣＰＵ４１は、入力された入力操作種別と、実行機能特定テーブル（図４参照）に基づいて、第１仕様及び第２仕様において、当該入力操作種別に対応付けられている機能の有無及び内容を確認する。対応機能確認処理（Ｓ３）を終了すると、ＣＰＵ４１は、Ｓ４に処理を移行する。
【００３３】
Ｓ４では、ＣＰＵ４１は、未設定操作仕様（初期状態であれば、第２仕様）において、当該入力操作種別に対して、実行すべき機能が対応付けられているか否かを判断する。未設定操作仕様において、入力操作種別に実行すべき機能が対応付けられている場合（Ｓ４：ＹＥＳ）、ＣＰＵ４１は、Ｓ５に処理を移行する。一方、未設定操作仕様において、入力操作種別に実行すべき機能が対応付けられていない場合（Ｓ４：ＮＯ）、ＣＰＵ４１は、Ｓ９に処理を移行する。
【００３４】
Ｓ５においては、ＣＰＵ４１は、設定中操作仕様（初期状態であれば、第１仕様）において、入力操作種別に対して、実行すべき機能が対応付けられていないか否かを判断する。設定中操作仕様において、実行すべき機能が対応付けられていない場合（Ｓ５：ＹＥＳ）、ＣＰＵ４１は、Ｓ８に処理を移行する。一方、設定中操作仕様において、実行すべき機能が対応付けられている場合（Ｓ５：ＮＯ）、ＣＰＵ４１は、Ｓ６に処理を移行する。
【００３５】
Ｓ６に移行すると、ＣＰＵ４１は、確認画面表示処理を実行する。確認画面表示処理（Ｓ６）では、ＣＰＵ４１は、ユーザにより入力された入力操作種別に対して、第１仕様及び第２仕様の何れにも、対応する機能（同一機能であるか否かを問わない）が対応付けられているため（Ｓ４：ＹＥＳ、Ｓ５：ＮＯ）、確認画面６０を液晶ディスプレイ３０に表示する。確認画面表示処理（Ｓ６）を終了すると、ＣＰＵ４１は、Ｓ７に処理を移行する。
【００３６】
ここで、確認画面表示処理（Ｓ６）で液晶ディスプレイ３０に表示される確認画面６０について説明する。図６に示すように、確認画面６０には、「当該入力操作が未設定操作仕様に基づき入力されたものであるか否かを問いかけるメッセージ」を含んでいる。このメッセージを表示する際に、ＣＰＵ４１は、対応機能確認処理（Ｓ３）の処理結果に基づいて、「未設定操作仕様において、当該入力操作種別に対応付けられている機能」を特定し、当該機能に関する操作であるか否かも問うメッセージを生成する。そして、確認画面６０は、当該メッセージの問いかけに対する選択肢（「ＹＥＳ」「ＮＯ」）と、カーソルＥを含んでいる。従って、ユーザは、カーソルキー１４を操作し、所望の選択肢をカーソルＥで選択することにより、当該メッセージに係る問いかけに応答し得る。
【００３７】
Ｓ７では、ＣＰＵ４１は、確認画面６０に対する操作により、未設定操作仕様に基づく操作であることが入力されたか（即ち、入力操作種別が未設定操作仕様を前提とした入力操作であるか）否かを判断する。未設定操作仕様に基づく操作であると入力された場合（Ｓ７：ＹＥＳ）、ＣＰＵ４１は、Ｓ８に処理を移行する。一方、未設定操作仕様に基づく操作でないと入力された場合（Ｓ７：ＮＯ）、ＣＰＵ４１は、Ｓ９に処理を移行する。
【００３８】
Ｓ８においては、ＣＰＵ４１は、未設定操作仕様に基づく入力操作がなされたことに基づいて、操作仕様変更処理を実行する。操作仕様変更処理（Ｓ８）は、未設定操作仕様において、当該入力操作種別に対して、テープ印刷装置１で実行される機能が対応付けられており（Ｓ４：ＹＥＳ）、且つ、設定中操作仕様において、当該入力操作種別に対して、テープ印刷装置１で実行される機能が対応付けられていない場合（Ｓ５：ＹＥＳ）に実行される。つまり、この場合においては、当該入力操作は、未設定操作仕様に基づいて行われた入力操作である蓋然性が高い。又、当該操作仕様変更処理は、確認画面６０に対して、未設定操作仕様に基づく操作であることが入力された場合（Ｓ７：ＹＥＳ）に実行される。この場合においても、Ｓ２における入力操作は、未設定操作仕様に基づいて行われた入力操作である。従って、操作仕様変更処理（Ｓ８）においては、ＣＰＵ４１は、Ｓ２で未設定操作仕様に基づく入力操作が行われたことに基づいて、現在設定されている操作仕様（即ち、設定中操作仕様）を、未設定操作仕様へ設定変更し、操作仕様記憶領域４４Ａの内容を変更する。操作仕様変更処理（Ｓ８）を終了すると、ＣＰＵ４１は、メイン制御プログラムを終了する。
【００３９】
Ｓ９においては、ＣＰＵ４１は、通常制御処理を実行する。通常制御処理（Ｓ９）では、ＣＰＵ４１は、Ｓ２で入力された入力操作種別と、操作仕様記憶領域４４Ａの設定状況と、実行機能特定テーブル（図４参照）に基づき特定された機能を実現すべく、種々の制御を実行する。例えば、設定中操作仕様が「第１仕様」であり、入力操作種別が、文字入力キー１１の一つである「１」キーとコードキー１８の同時入力である場合、ＣＰＵ４１は、入力されるキャラクタの書体を「明朝体」に設定する設定制御を行う。尚、設定中操作仕様が「第２仕様」であり、入力操作種別が、「１」キーとコードキー１８の同時入力である場合、ＣＰＵ４１は、入力されるキャラクタのスタイルを「ボールド（太字）」に設定する設定制御を実行する（図４参照）。尚、図４等に示す各種制御の内容については、既に公知であるため、詳細な説明を省略する。通常制御処理（Ｓ９）を終了すると、ＣＰＵ４１は、メイン制御プログラムを終了する。
【００４０】
以上、説明したように、本実施形態に係るテープ印刷装置１は、キーボード１０による入力操作と、実行機能特定テーブル（図４参照）に基づいて、前記印刷手段による印刷に関する制御を行う（Ｓ９）。当該テープ印刷装置１は、前記キーボード１０により入力された入力操作の入力操作種別と、前記ＲＯＭ４３に記憶されている実行機能特定テーブル（図４参照）に基づいて、当該入力された入力操作が、前記未設定操作仕様に基づく入力操作であるか否かを判定する（Ｓ３、Ｓ４、Ｓ７）。そして、当該テープ印刷装置１は、入力された入力操作が未設定操作仕様に基づく入力操作であると判定された場合（Ｓ５：ＹＥＳ又はＳ７：ＹＥＳ）に、操作仕様変更処理（Ｓ８）により、操作仕様記憶領域４４Ａの内容を変更することにより、前記未設定操作仕様に係る入力操作に基づいて、種々の制御を実行するように設定する。設定中操作仕様が設定されている状態で、当該テープ印刷装置１に対して、未設定操作仕様に基づく入力操作が行われた場合、当該入力操作を行ったユーザは、未設定操作仕様に慣れ親しんでいる蓋然性が高い。従って、当該テープ印刷装置１は、操作仕様変更処理（Ｓ８）を行うことで、当該入力操作を行ったユーザが使用しやすい操作仕様に設定変更することができる。又、当該テープ印刷装置１は、未設定操作仕様に基づく入力操作により操作仕様を変更するため、簡単な操作で操作仕様を変更することができる。
【００４１】
又、当該テープ印刷装置１では、実行機能特定テーブル（図４参照）の未設定操作仕様において、Ｓ２で入力された入力操作種別に対して、所定の機能が対応付けられており（Ｓ４：ＹＥＳ）、且つ、設定中操作仕様において、Ｓ２で入力された入力操作種別に対して、所定の機能が対応付けられていない場合（Ｓ５：ＹＥＳ）に、当該入力操作が未設定操作仕様に基づく入力操作であると判定する。この場合、設定中操作仕様において、当該入力操作に対して機能が対応付けられていないので、当該入力操作は、設定中操作仕様を前提として入力された蓋然性は低く、未設定操作仕様を前提として入力された蓋然性が高い。つまり、当該テープ印刷装置１は、確実に未設定操作仕様に基づく入力操作であることを判断することができ、当該入力操作を行ったユーザが使用しやすい操作仕様に、適切に設定変更することができる。
【００４２】
更に、当該テープ印刷装置１は、Ｓ２で入力された入力操作種別に対して、設定中操作仕様及び未設定操作仕様（即ち、第１仕様及び第２仕様）の何れについても、所定の機能が対応付けられている場合（Ｓ５：ＮＯ）、確認画面６０（図６参照）を液晶ディスプレイ３０に表示する。図６に示すように、確認画面６０には、「当該入力操作が未設定操作仕様に基づき入力されたものであるか否かを問いかけるメッセージ」が含まれており、設定操作仕様に基づき入力されたものであるか否かを選択する選択操作を要求する。そして、当該テープ印刷装置１は、確認画面６０に対して行われた選択操作に基づいて、Ｓ２で入力された入力操作が前記未設定操作仕様に基づく入力操作であると判定する（Ｓ７）。つまり、設定中操作仕様と未設定操作仕様の何れにおいても、入力された入力操作種別に対して、前記印刷に関する機能が対応付けられており、入力操作が未設定操作仕様に基づく入力操作であるか否かを特定できない場合であっても、当該テープ印刷装置１は、Ｓ２で入力された入力操作が未設定操作仕様に基づく入力操作であることを、確実に判断することができ、当該入力操作を行ったユーザが使用しやすい操作仕様に、適切に設定変更することができる。
【００４３】
以上、実施形態に基づき本発明を説明したが、本発明は上述した実施形態に何ら限定されるものではなく、本発明の趣旨を逸脱しない範囲内で種々の改良変更が可能である。例えば、本実施形態においては、本発明に係る印刷装置を、ラベルテープに印刷を施すテープ印刷装置１に具体化して説明したが、この態様に限定するものではない。例えば、所定サイズ（例えば、Ａ４サイズ等）の用紙に対して印刷を行うプリンタであってもよい。
【００４４】
又、本実施形態においては、当該テープ印刷装置１上で、第１仕様、第２仕様に係る操作仕様の変更処理（Ｓ８）を実行するように構成していたが、この態様に限定するものではない。例えば、当該テープ印刷装置１を、通信網を介してサーバと接続可能なものとし、第１仕様、第２仕様に係る操作仕様の変更に際し、必要なデータ又はプログラム等を、通信網を介してサーバから取得するように構成してもよい。
【符号の説明】
【００４５】
１    テープ印刷装置
１０  キーボード
２５  サーマルヘッド
３０  液晶ディスプレイ
４１  ＣＰＵ
４３  ＲＯＭ
４４  ＥＥＰＲＯＭ
６０  確認画面
【図１】
2012035510.tif 000003
【図２】
2012035510.tif 000004
【図３】
2012035510.tif 000005
【図４】
2012035510.tif 000006
【図５】
2012035510.tif 000007
【図６】
2012035510.tif 000008